(57)【要約】【課題】指定された部分が着信呼を処理できない場合に指定された部分に対する着信呼を処理できるパケット交換部分と従来の回線交換部分の両方を備える通信システムを提供すること。【解決手段】一例の装置は、移動通信交換局のパケット交換部分と移動通信交換局の回線交換部分との間の新しいメディア経路の一部をリダイレクトさせる移動通信交換局のサーバ・コンポーネントを備える。【選択図】図１
2005006328.tif 000002
【特許請求の範囲】
【請求項１】
移動通信交換局のパケット交換部分と移動通信交換局の回線交換部分との間の新しいメディア経路の一部をリダイレクトさせる移動通信交換局のサーバ・コンポーネントを備えることを特徴とする装置。
【請求項２】
前記サーバ・コンポーネントは、リダイレクション・メッセージを移動通信交換局のコントローラ・コンポーネントに送信して新しいメディア経路の一部をリダイレクトすることを特徴とする請求項１に記載の装置。
【請求項３】
前記コントローラ・コンポーネントは、リダイレクション・メッセージを使用して新しいメディア経路の一部を第１のメディア経路から第２のメディア経路にリダイレクトすることを特徴とする、前記コントローラ・コンポーネントと組み合わせた請求項２に記載の装置。
【請求項４】
第１のメディア経路は移動通信交換局のパケット交換部分を通るメディア経路を備え、そして第２のメディア経路は移動通信交換局の回線交換部分を通るメディア経路を備えており、
前記コントローラ・コンポーネントは代替ルーティングを実行し、新しいメディア経路の一部を移動通信交換局のパケット交換部分を通るメディア経路から移動通信交換局の回線交換部分を通るメディア経路にリダイレクトすることを特徴とする請求項３に記載の装置。
【請求項５】
前記第１のメディア経路は移動通信交換局の回線交換部分を通るメディア経路を備え、そして前記第２のメディア経路は移動通信交換局のパケット交換部分を通るメディア経路を備えており、
前記コントローラ・コンポーネントは代替ルーティングを実行し、新しいメディア経路の一部を移動通信交換局の回線交換部分を通るメディア経路から移動通信交換局のパケット交換部分を通るメディア経路にリダイレクトすることを特徴とする請求項３に記載の装置。
【請求項６】
前記新しいメディア経路の一部に対する発呼メッセージは移動通信交換局が提供する携帯電話の識別子を含み、第１のメディア経路は発呼メッセージ、識別子、および第１のダイヤリング・プランのうちの１つまたは複数に基づいており、
前記コントローラ・コンポーネントは、発呼メッセージ、識別子、および第２のダイヤリング・プランのうちの１つまたは複数を使用して、代替ルーティングを実行することを特徴とする請求項３に記載の装置。
【請求項７】
前記サーバ・コンポーネントによって、新しいメディア経路の一部が第１のメディア経路から第２のメディア経路にリダイレクトされることを特徴とする請求項１に記載の装置。
【請求項８】
前記新しいメディア経路の一部に対する発呼メッセージは移動通信交換局が提供する携帯電話の識別子を含み、第１のメディア経路は発呼メッセージ、識別子、およびダイヤリング・プランのうちの１つまたは複数に基づいており、
前記サーバ・コンポーネントは、発呼メッセージ、識別子、およびダイヤリング・プランのうちの１つまたは複数を使用して、第２のメディア経路を決定することを特徴とする請求項７に記載の装置。
【請求項９】
着信呼に対する発呼メッセージを受信した後、移動通信交換局のパケット交換部分と移動通信交換局の回線交換部分との間で、着信呼について新しいメディア経路の一部をリダイレクトする工程を備えることを特徴とする方法。
【請求項１０】
リダイレクション・メッセージをコントローラ・コンポーネントに送信し、新しいメディア経路の一部が第１のメディア経路から第２のメディア経路にリダイレクトされるようにする工程をさらに備えることを特徴とする請求項９に記載の方法。
【発明の詳細な説明】
【技術分野】
【０００１】
本発明は、一般的に、通信に関係するものであり、より具体的には、無線通信に関係する。
【背景技術】
【０００２】
本出願は、Ｅｊｚａｋにより２００２年１１月１４日に出願された「INTERNET PROTOCOL MULTIMEDIA SUBSYSTEM COMPONENT PROVIDING OF PACKET-SWITCHED SWITCHING FUNCTIONS TO SERVING MOBILE SWITCHING CENTER FEATURE SERVER」という表題の特許出願第１０／２９５，７７４号と関係する。
【０００３】
現在の無線通信システムは、ユーザが無線ユーザまたは移動通信ユーザとの間で通信するための機能を備えている。一般に、回線交換方式（Ｃircut-Ｓwitched：「ＣＳ」）とパケット交換方式（Ｐacket Ｓwitched：ＰＳ）の２種類の無線通信システムがある。
【０００４】
通常の回線交換無線通信システムでは、移動通信交換局（Ｍobile Ｓwitching Ｃenter：ＭＳＣ）は陸上通信線の公衆交換電話網（Ｐublic Ｓwitched Ｔelephone Ｎetwork：ＰＳＴＮ）システムを無線通信システムに接続する。移動通信交換局は、通常、移動通信交換局サーバとメディア・ゲートウェイ（Ｍedia ＧateＷay：ＭＧＷ）に分割され、移動通信交換局間の呼配信のためベアラに依存しない呼制御（Ｂearer Ｉndependent Ｃall Ｃontrol：ＢＩＣＣ）または総合デジタル通信サービス網ユーザ部（Ｉntegrated Ｓervices digital network Ｕser Ｐart：ＩＳＵＰ）呼制御プロトコルを組み込んでいる。
【０００５】
汎用移動体通信サービス（Ｕniversal Ｍobile Ｔelecommunication Ｓervice：ＵＭＴＳ）および符号分割多元接続（Ｃode Ｄivision Ｍultiple Ａccess：ＣＤＭＡ）第三世代（「３Ｇ」）システム用のインターネット・プロトコル（ＩＰ）マルチメディア・サービスを導入する現在の方式は、パケット交換サービスを使用するインターネット・プロトコル・マルチメディア・サブシステム内に１組のインターネット・プロトコル接続ネットワーク・エンティティで構成される全く新しいインターネット・プロトコル・マルチメディア・サブシステム（Ｉnternet protocol Ｍultimedia Ｓubsystem：ＩＭＳ）を定義するものである。これらのネットワーク・エンティティは、セッション開始プロトコル（Ｓession Ｉnitiation Ｐrotocol：ＳＩＰ）を呼制御のための主要な手段として使用するインターネット・プロトコル・マルチメディア機能およびサービスを提供する。
【０００６】
従来の回線交換通信システムはインターネット・プロトコル・マルチメディア・システムと連携するので、従来の回線交換通信システムから無理なくアップグレードすることができる。この複合システムは、既存の回線交換通信システムにパケット交換機能を付加する。
【０００７】
従来の回線交換通信システムからパケット交換通信システムへ段階的にアップグレードするプロセスにより、従来の回線交換部分とパケット交換部分が共存する通信システムを構築できる。従来の回線交換部分およびパケット交換部分は、例えば、その部分の容量が１００％に達している場合、呼の受信者が現在、通信システムの別の部分を使用している場合、またはその部分が望む機能または品質レベルを提供できない場合に、それぞれの部分に対するすべての着信呼を処理できない。
【特許文献１】米国特許出願第１０／２９５，７７４号
【発明の開示】
【発明が解決しようとする課題】
【０００８】
そこで、指定された部分が着信呼を処理できない場合に指定された部分に対する着信呼を処理できるパケット交換部分と従来の回線交換部分の両方を備える通信システムが必要である。
【課題を解決するための手段】
【０００９】
本発明の一実施形態は装置を対象とする。装置は、移動通信交換局のパケット交換部分と移動通信交換局の回線交換部分との間の新しいメディア経路の一部をリダイレクトさせる移動通信交換局のサーバ・コンポーネントを備える。
【００１０】
本発明の他の実施形態は方法を対象とする。着信呼の新しいメディア経路の一部は、着信呼に対する発呼メッセージ(call origination message)を受信した後、移動通信交換局のパケット交換部分と移動通信交換局の回線交換部分との間でリダイレクトされる。
【００１１】
本発明の他の実施形態は物品を対象とする。物品は、１つまたは複数のコンピュータ読取可能信号搬送媒体(computer-readable signal-bearing media)を対象とする。物品は、着信呼に対する発呼メッセージを受信した後、移動通信交換局のパケット交換部分と移動通信交換局の回線交換部分との間で、着信呼に関して、新しいメディア経路の一部をリダイレクトするため１つまたは複数のメディアに手段を収める。
【発明を実施するための最良の形態】
【００１２】
本発明の実装例の特徴は、明細書、特許請求の範囲、および添付図面から明らかになるであろう。
【００１３】
図１を参照すると、一実施例の装置１００は、コンピュータ・ソフトウェアおよび／またはハードウェア・コンポーネントなどの複数のコンポーネントを備える。このような多数のコンポーネントを、装置１００の中で、組み合わせたり、分割したりすることができる。装置１００のコンポーネント例は、当業者には周知のさまざまなプログラミング言語で書かれた、または実装された１組のおよび／または一連のコンピュータ命令を採用し、かつ／または含む。
【００１４】
一例の装置１００は、上記の特許出願第１０／２９５，７７４号で説明されているように、１つまたは複数の移動通信交換局１０２、１つまたは複数のゲートウェイ移動通信交換局機能サーバ(gateway mobile switching center feature server)１０６、１つまたは複数のメディア・コーディネータ(media coordinator)１０８、１つまたは複数のメディア・ゲートウェイ制御機能(media gateway control function)１１０、１つまたは複数のメディア・リソース機能コントローラ(media resource function controller)１１２、１つまたは複数のメディア・リソース機能プロセッサ１１６、１つまたは複数の公衆交換電話網１２０、１つまたは複数の総合デジタル通信サービス網ユーザ部インターフェース(integrated services digital network user part interface)１２２、１つまたは複数のＨ．２４８インターフェース１２４および１２６、１つまたは複数のインターネット・プロトコル・ネットワーク１２８、１つまたは複数のセッション開始プロトコル・ネットワーク(session initiation protocol network)１３０、１つまたは複数のシグナリング・システム７インターフェース(signaling system seven interface)１３２、１つまたは複数のホーム・ロケーション・レジスタ１３４、１つまたは複数のインテリジェント型無線ネットワーク・インターフェース(wireless intelligent network interface)１３６、１つまたは複数のインテリジェント型ネットワーク１３８、１つまたは複数の無線アクセス・ネットワーク（Ｒadio Ａccess Ｎetwork：ＲＡＮ）インターフェース１４０、および１つまたは複数の無線アクセス・ネットワーク１４２を含む。
【００１５】
移動通信交換局１０２は、サーバ・コンポーネント１０４、例えば、上記の特許出願第１０／２９５，７７４号で説明されているような、サービング移動通信交換局機能サーバ（Ｓerving Ｍobile Ｓwitching Ｃenter −Ｆeature Ｓerver：ＳＭＳＣ−ＦＳ）を備える。移動通信交換局１０２は、さらに、コントローラ・コンポーネント１１４を備える。一例のサーバ・コンポーネント１０４は、本明細書で説明しているように、記録可能データ記憶メディア１０１のインスタンスを含む。移動通信交換局１０２はさらに、パケット交換メディア・ゲートウェイ１４４および従来の回線交換メディア・ゲートウェイ１４６を備える。
【００１６】
一例のコントローラ・コンポーネント１１４は、上記の特許出願第１０／２９５，７７４号で説明されているように、ブレークアウト・ゲートウェイ制御機能（Ｂrake-out Ｇateway Ｃontrol Ｆunction：ＧＣＦ）を備える。一例のコントローラ・コンポーネント１１４は、本明細書で説明しているように、記録可能データ記憶メディア１０１のインスタンスを含む。一例のコントローラ・コンポーネント１１４は、新しいメディア経路の一部を決定するための１つまたは複数のダイヤリング・プランを採用している。
【００１７】
サーバ・コンポーネント１０４は、１つまたは複数のインターネット・プロトコル・マルチメディア・サブシステム・コンポーネントおよびメディア・コーディネータ１０８が備える機能を除くサービング移動通信交換局の機能を移動通信交換局１０２に提供する。サーバ・コンポーネント１０４は、モビリティ管理、加入者機能制御(subscriber feature control)、呼関連補助サービス(call-related supplementary service)、発信インテリジェント型ネットワーク（Ｉntelligent Ｎetwork：ＩＮ）トリガ、ディジット分析、非常事態サービス、課金、およびメディア・コーディネータ・インターフェースをサポートする。
【００１８】
一例では、サーバ・コンポーネント１０４は、セッション開始プロトコル・ユーザ・エージェント（Ｕser Ａgent：ＵＡ）を含む。サーバ・コンポーネント１０４は、セッション開始プロトコル呼制御処理をサポートする。セッション開始プロトコル呼制御処理は、セッション開始プロトコルに基づくコール・シグナリング(call-signaling)、コール・ルーティング(call-routing)、シグナリング・インターワーキング(signaling interworking)、およびメディア処理を含む。サーバ・コンポーネント１０４の追加インスタンスでは、ベアラに依存しない呼制御（Ｂearer Ｉndependent Ｃall Ｃontrol：ＢＩＣＣ）または総合デジタル通信サービス網ユーザ部（Ｉntegrated Ｓervices digital network Ｕser Ｐart：ＩＳＵＰ）などの他の呼制御プロトコルをサポートすることができる。移動通信交換局１０２は、複数の呼制御プロトコルをサポートするためにサーバ・コンポーネント１０４の追加インスタンスを使用することができる。一例のサーバ・コンポーネント１０４は、公衆交換電話網１２０とのインターフェース１６２、例えば、総合デジタル通信サービス網ユーザ部インターフェースを備える。例えば、サーバ・コンポーネント１０４は、公衆交換電話網１２０とのインターフェース１６２を使用して、従来の移動通信交換局の一部を実装する。他の例のサーバ・コンポーネント１０４は、従来の回線交換メディア・ゲートウェイ１４６とのインターフェース１５６、例えば、Ｈ．２４８インターフェースまたは従来の制御プロトコルを備える。
【００１９】
サーバ・コンポーネント１０４は、内部発信・着信コール機能およびサービス(internal origination and termination call features and service)とメディア・コーディネータ１０８への外部セッション開始プロトコル・インターフェースとの連係機能を備える。外部セッション開始プロトコル・インターフェースは、サーバ・コンポーネント１０４とネットワーク上のそれ以外の部分との間の移動体発信および移動体着信呼の通信をサポートする。外部セッション開始プロトコル・インターフェースは、さらに、サーバ・コンポーネント１０４とメディア・コーディネータ１０８との間の発信音、アナウンス、または会議開催のメディア要求の通信をサポートする。サーバ・コンポーネント１０４とメディア・コーディネータ１０８との間のメディア要求の通信では、場合によっては、追加セッション開始プロトコル・ヘッダまたは添付を定義する必要がある。移動通信交換局１０２内の他のエンティティの間のセッション開始プロトコル・インターフェースとは異なり、サーバ・コンポーネント１０４とメディア・コーディネータ１０８との間の外部セッション開始プロトコル・インターフェースは、通常、単一ベンダに対してプライベートのままであり、インタネット・エンジニアリング・タスク・フォース（Ｉnternet Ｅngineering Ｔask Ｆource：ＩＥＴＦ）によって定義されているＸ−ｈｅａｄｅｒメカニズムを使用してプライベート・セッション開始プロトコル拡張を利用することができる。
【００２０】
ゲートウェイ移動通信交換局機能サーバ１０６は、セッション開始プロトコル呼制御処理を通じて、移動通信交換局１０２にゲートウェイ移動通信交換局のサービスを提供する。一例では、ゲートウェイ移動通信交換局機能サーバ１０６は、セッション開始プロトコル・バックツーバック・ユーザ・エージェント（Ｂack-to-Ｂack Ｕser Ａgent：Ｂ２ＢＵＡ）を含む。ゲートウェイ移動通信交換局機能サーバ１０６は、セッション開始プロトコル呼制御処理をサポートする。ゲートウェイ移動通信交換局機能サーバ１０６の追加インスタンスでは、ベアラに依存しない呼制御または総合デジタル通信サービス網ユーザ部などの他の呼制御プロトコルをサポートすることができる。移動通信交換局１０２は、複数の呼制御プロトコルをサポートするためにゲートウェイ移動通信交換局機能サーバ１０６の追加インスタンスを使用することができる。一例のゲートウェイ移動通信交換局機能サーバ１０６は、公衆交換電話網１２０とのインターフェース１６４、例えば、総合デジタル通信サービス網ユーザ部インターフェースを備える。例えば、ゲートウェイ移動通信交換局機能サーバ１０６は、公衆交換電話網１２０とのインターフェース１６４を使用して、従来の移動通信交換局の一部を実装する。他の例のゲートウェイ移動通信交換局機能サーバ１０６は、従来の回線交換メディア・ゲートウェイ１４６とのインターフェース１５６、例えば、Ｈ．２４８インターフェースまたは従来の制御プロトコルを備える。
【００２１】
ゲートウェイ移動通信交換局機能サーバ１０６は、着信サービス、基本システム間呼配信(basic intersystem call delivery)、着信インテリジェント型ネットワーク(terminating intelligent network)トリガ、二次処理、および課金をサポートする。一例では、ゲートウェイ移動通信交換局機能サーバ１０６は、セッション開始プロトコルを使用して、呼進捗またはサービス制御表示を帯域外呼進捗情報として起呼側に配信する。ネットワーク内の発信点（つまり、サーバ・コンポーネント１０４、メディア・コーディネータ１０８、またはメディア・ゲートウェイ制御機能１１０）は、帯域外呼進捗情報を帯域内呼進捗情報に変換する。呼進捗およびサービス制御表示は、通常、既存のセッション開始プロトコル・メッセージおよびヘッダを介して伝達されるが、場合によっては、追加セッション開始プロトコル・ヘッダまたは添付が必要になることがある。
【００２２】
一例では、メディア・コーディネータ１０８は、サーバ・コンポーネント１０４とネットワークとの間のセッション開始プロトコル・バックツーバック・ユーザ・エージェントを含む。携帯電話発信の呼については、メディア・コーディネータ１０８は、サーバ・コンポーネント１０４とネットワークとの間の基本的な呼状態情報の伝搬をサポートする。メディア・コーディネータ１０８は、メディア・リソース機能コントローラ１１２およびメディア・リソース機能プロセッサ１１６のリソースの割り当てにより、ネットワークからの帯域外呼進捗または呼解放情報を携帯電話への帯域内呼進捗情報に変換する操作をサポートしている。メディア・コーディネータ１０８は、メディア変換に必要になったときに、メディア・リソース機能コントローラ１１２およびメディア・リソース機能プロセッサ１１６のリソースの割り当てを通じてネットワーク内のエンドポイント間のメディア・ネゴシエーションをサポートする。メディア・コーディネータ１０８は、ネットワーク内で呼に対し応答があった場合に、メディアのフォワード・カットスルー(forward cut-through)の制御をサポートする。メディア・コーディネータ１０８は、サーバ・コンポーネント１０４の指令の下でメディア機能を実行するセッション開始プロトコルの第三者呼制御処理をサポートする。メディア機能は、会議開催、発信音、アナウンス、またはシステム間ハンドオフを制御する場合に必要に応じて、メディア・リソース機能コントローラ１１２およびメディア・リソース機能プロセッサ１１６のリソースの割り当てを行う。
【００２３】
携帯電話に着信する呼については、メディア・コーディネータ１０８は、サーバ・コンポーネント１０４とネットワークとの間の基本的な呼状態情報の伝搬をサポートする。メディア・コーディネータ１０８は、メディア変換に必要になったときに、メディア・リソース機能コントローラ１１２およびメディア・リソース機能プロセッサ１１６のリソースの割り当てを通じてネットワーク内のエンドポイント間のメディア・ネゴシエーションをサポートする。メディア・コーディネータ１０８は、サーバ・コンポーネント１０４の指令の下でメディア機能を実行するセッション開始プロトコルの第三者呼制御処理をサポートする。メディア機能は、会議開催、発信音、アナウンス、またはシステム間ハンドオフを制御する場合に必要に応じて、メディア・リソース機能コントローラ１１２およびメディア・リソース機能プロセッサ１１６のリソースの割り当てを行う。
【００２４】
メディア・ゲートウェイ制御機能１１０は、移動通信交換局１０２と公衆交換電話網（Ｐublic Ｓwitched Ｔepehone Ｎetwork：ＰＳＴＮ）１２０または他のネットワークとの間の呼制御インターフェースおよびトランスレータとして使用される。一例では、メディア・ゲートウェイ制御機能１１０は、移動通信交換局１０２用のセッション開始プロトコル・ユーザ・エージェント（ＵＡ）を含む。例えば、メディア・ゲートウェイ制御機能１１０は、移動通信交換局１０２のセッション開始プロトコル呼制御メッセージと公衆交換電話網１２０のベアラに依存しない呼制御または総合デジタル通信サービス網ユーザ部呼制御メッセージとの間の変換を行う。メディア・ゲートウェイ制御機能１１０は、通信リンク、例えば、ベアラに依存しない呼制御または総合デジタル通信サービス網ユーザ部インターフェース１２２を介して公衆交換電話網１２０と通信する。
【００２５】
一例では、メディア・ゲートウェイ制御機能１１０は、パケット交換メディア・ゲートウェイ１４４を制御する。メディア・ゲートウェイ制御機能１１０は、シグナリング・レイヤ・コントローラを備え、パケット交換メディア・ゲートウェイ１４４はメディア・レイヤ・コントローラを備える。メディア・ゲートウェイ制御機能１１０は、パケット交換メディア・ゲートウェイ１４４によって制御されるメディア・レイヤ内のメディア・チャネルの接続制御を行う。メディア・ゲートウェイ制御機能１１０は、通信リンク、例えば、インターネット・プロトコル・ネットワーク１２８を使用するＨ．２４８を介してパケット交換メディア・ゲートウェイ１４４を制御する。
【００２６】
他の例では、メディア・ゲートウェイ制御機能１１０は、複数のパケット交換メディア・ゲートウェイ１４４を制御する。メディア・ゲートウェイ制御機能１１０は、１つまたは複数の通信リンク、例えば、インターネット・プロトコル・ネットワーク１２８へのＨ．２４８インターフェース１２４の１つまたは複数のインスタンスを介して複数のパケット交換メディア・ゲートウェイ１４４を制御する。これら複数のパケット交換メディア・ゲートウェイ１４４は、メディア・ゲートウェイ制御機能１１０の登録を行う。メディア・ゲートウェイ制御機能１１０の登録の後、複数のパケット交換メディア・ゲートウェイ１４４はベアラの処理を開始することができる。メディア・ゲートウェイ制御機能１１０は、移動通信交換局１０２と公衆交換電話網１２０との間のインターワーキングを必要とする通信に対するベアラ・リソースの確立を制御する。メディア・ゲートウェイ制御機能１１０は、パケット交換メディア・ゲートウェイ１４４のサービスを必要とする通信用のポートを割り当てる必要がある。
【００２７】
メディア・ゲートウェイ制御機能１１０は、インターネット・プロトコル・ネットワーク１２８とのＨ．２４８インターフェース１２４を使用して、パケット交換メディア・ゲートウェイ１４４に１つまたは複数のメディア・オペレーションを実行させる信号を送る。１つまたは複数のメディア・オペレーションは、パケット交換メディア・ゲートウェイ１４４の登録、移動通信交換局１０２と公衆交換電話網１２０との間のベアラ確立制御、メディア変換リソースの割り当て要求（つまり、圧縮、エコー・キャンセル、およびボコーディング）、パケット交換メディア・ゲートウェイ１４４で検出されたイベントの制御、発信音およびアナウンスの適用、および統計量の収集の機能を持つ。
【００２８】
メディア・ゲートウェイ制御機能１１０は、セッション開始プロトコル・ネットワーク１３０を使用して、ネットワーク内の他のシグナリング・エンティティからのコマンドを受け付ける。メディア・ゲートウェイ制御機能１１０は、呼の制御に関係する機能を実行する。メディア・ゲートウェイ制御機能１１０は、ネットワーク内の他のエンドポイントとのメディア属性のネゴシエーションを行う。公衆交換電話網１２０内で発信され、移動通信交換局１０２に入る呼については、メディア・ゲートウェイ制御機能１１０は、帯域外呼進捗情報を帯域内呼進捗情報に変換する。帯域外呼進捗情報は、通信中のユーザには聞こえないシグナリング・メッセージを含む。帯域内呼進捗情報は、通信中のユーザには聞こえるシグナリング・メッセージを含む。例えば、メディア・ゲートウェイ制御機能１１０は、帯域外呼出表示を帯域内呼出音に変換する。他の例では、メディア・ゲートウェイ制御機能１１０は、帯域外ネットワーク・エラー表示（つまり、セッション開始プロトコル・サーバ内部エラー応答メッセージ）を帯域内ネットワーク・エラー信号（つまり、高速ビジー表示）に変換する。
【００２９】
コントローラ・コンポーネント１１４は、呼／セッション制御のシグナリング・エンティティを備える。一例では、コントローラ・コンポーネント１１４は、移動通信交換局１０２のセッション開始プロトコル・プロキシ・サーバを含む。他の例では、コントローラ・コンポーネント１１４は、セッション開始プロトコル・リダイレクト・サーバまたはセッション開始プロトコル・バックツーバック・ユーザ・エージェントを含む。コントローラ・コンポーネント１１４は、移動通信交換局１０２を公衆交換電話網１２０と結合するメディア・ゲートウェイ制御機能１１０を選択する。無線電話から公衆交換電話網１２０内の電話への呼び出しには、シグナリング・メッセージが含まれる。シグナリング・メッセージは、公衆交換電話網１２０内の電話のアドレス（つまり、Ｅ．１６４アドレス）の接続情報を含む。コントローラ・コンポーネント１１４は、Ｅ．１６４アドレスを使用して、呼のインターネット・プロトコル・ネットワーク宛先アドレスを特定する。一例では、コントローラ・コンポーネント１１４は、アドレス変換テーブルを参照して、Ｅ．１６４アドレスに対応するインターネット・プロトコル・ネットワーク宛先アドレスを見つける。アドレス変換テーブルには、ポート番号、トランスポート・プロトコル、およびセキュリティ・パラメータを含むコントローラ・コンポーネント１１４とシグナリング・メッセージの次のホップ先との間の通信を確立するために必要な他の情報を含めることができる。コントローラ・コンポーネント１１４は、シグナリング・メッセージを宛先アドレスに送信する。
【００３０】
コントローラ・コンポーネント１１４は、複数の発信元からの情報を使用して、宛先アドレスを決定することができる。複数の発信元は、ネットワーク内の呼発信位置、Ｅ．１６４アドレスの場所、訪れた先のネットワークとホーム・ネットワークとの間のローカル・ポリシーおよびビジネス契約、公衆交換電話網１２０ネットワーク内の経路距離を最小にする希望、および最小コスト経路の希望に関する情報を含む。
【００３１】
コントローラ・コンポーネント１１４は、宛先アドレス、ネットワーク情報を他のネットワークから隠蔽すること、およびピア・ネットワーク要素の許可を通じてセキュリティを確保することに基づいてメディア・ゲートウェイ制御機能１１０の選択を実行する。第１のコントローラ・コンポーネント１１４が第１のネットワーク内に存在している場合、第２のコントローラ・コンポーネント１１４は第２のネットワーク内に存在し、ネットワークが結合され、その後、第１および第２のコントローラ・コンポーネント１１４は他のネットワークからローカルのネットワーク情報を隠すことができる。
【００３２】
一例のパケット交換メディア・ゲートウェイ１４４は、上記の特許出願第１０／２９５，７７４号で説明されているように、メディア・ゲートウェイを備える。パケット交換メディア・ゲートウェイ１４４は、インターネット・プロトコル・ネットワーク１５８上のメディア・フロー（例えば、オーディオ）と公衆交換電話網１２０上のメディア・フローとの変換を行う。パケット交換メディア・ゲートウェイ１４４は、公衆交換電話網１２０からの回線交換（ＣＳ）メディアを終端し、移動通信交換局１０２内の他のエンドポイントからパケット・ストリームとしてインターネット・プロトコル・メディア・フローを終端する。一例のパケット交換メディア・ゲートウェイ１４４は、インターネット・プロトコル・ネットワーク１２８とのＨ．２４８インターフェース１２７の１つまたは複数のインスタンスを使用して、ネットワーク内の他のシグナリング・エンティティからのコマンドを受け付ける。一例のパケット交換メディア・ゲートウェイ１４４は、インターネット・プロトコル・ネットワーク１５８へのパケット交換メディア経路１５０を備える。一例のインターネット・プロトコル・ネットワーク１５８およびインターネット・プロトコル・ネットワーク１２８は、同じインターネット・プロトコル・ネットワークを含む。パケット交換メディア・ゲートウェイ１４４は、さらに、公衆交換電話網への回線交換メディア経路１６０を備える。
【００３３】
一例の従来の回線交換メディア・ゲートウェイ１４６は、１つまたは複数の公衆交換電話網１２０と１つまたは複数の無線アクセス・ネットワーク１４２の間の回線交換メディア経路１５２および１５４の１つまたは複数のインスタンスを備える。一例のパケット交換メディア・ゲートウェイ１４４および従来の回線交換メディア・ゲートウェイ１４６は、公衆交換電話網１２０の一部分および時分割多重（Ｔime Ｄivision Ｍultiplex：ＴＤＭ）設備（図には示されていない）の１つまたは複数を介して互いの間のメディア経路４０６を備えることができる。
【００３４】
一例のサーバ・コンポーネント１０４では、本明細書で説明されているように、パケット交換メディア・ゲートウェイ１４４および従来の回線交換メディア・ゲートウェイ１４６は携帯電話の着信呼を第１のメディア経路から第２のメディア経路にリダイレクトする。一例のコントローラ・コンポーネント１１４は、本明細書で説明されているように、代替ルーティング(alternate routing)を実行して、携帯電話の着信呼を第１のメディア経路から第２のメディア経路にリダイレクトする。
【００３５】
図２を参照すると、メディア経路構成２０２の例では、当業者には周知のように、従来の回線交換移動通信交換局構成の一部を実装している。メディア経路構成２０２は、公衆交換電話網１２０からの回線交換メディア経路１５４上の着信呼を処理する場合に使用される。ゲートウェイ移動通信交換局機能サーバ１０６は、インターフェース２０６を通じて、公衆交換電話網１２０から着信呼に対する発呼メッセージ２０４を受信する。一例のインターフェース２０６は、総合デジタル通信サービス網ユーザ部インターフェースを備える。発呼メッセージ２０４は、宛先、例えば、着信呼の携帯電話のディレクトリ番号（Ｄirectory Ｎumber：ＤＮ）を含む。例えば、発呼メッセージ２０４は、総合デジタル通信サービス網ユーザ部初期アドレス・メッセージ（Ｉntegrated Ｓervices digital network Ｕser Ｐart  Ｉnitial Ａddress Ｍessage：ＩＳＵＰ  ＩＡＭ）を含む。ゲートウェイ移動通信交換局機能サーバ１０６は、発呼メッセージ２０４を使用して、ホーム・ロケーション・レジスタ１３４、例えば、一時ロケーション・ディレクトリ番号（Ｔemporary Ｌocation Ｄirectory Ｎumber：ＴＬＤＮ）から携帯電話の識別子を取得する。ゲートウェイ移動通信交換局機能サーバ１０６は、識別子を持つ発呼メッセージ２０４を更新する。ゲートウェイ移動通信交換局機能サーバ１０６は、インターフェース２０８を通じて、その発呼メッセージ２０４をサーバ・コンポーネント１０４に送信する。一例では、インターフェース２０８は、インターフェース１６２、インターフェース１６４、および公衆交換電話網１２０の一部のうちの１つまたは複数を含む。他の例では、インターフェース２０８は、直接インターフェース（図に示されていない）を含む。
【００３６】
一例のゲートウェイ移動通信交換局機能サーバ１０６は、公衆交換電話網１２０からの着信呼を従来の回線交換メディア・ゲートウェイ１４６の第２のインスタンスに送るようにインターフェース１５６を通じて従来の回線交換メディア・ゲートウェイ１４６の第１のインスタンスに信号を送る。他の例では、ゲートウェイ移動通信交換局機能サーバ１０６および従来の回線交換メディア・ゲートウェイ１４６の第１のインスタンスは、同じ場所に配置され、インターフェース１５６は必要とされない。従来の回線交換メディア・ゲートウェイ１４６の第１のインスタンスにより、回線交換メディア経路２１０を通じて従来の回線交換メディア・ゲートウェイ１４６の第２のインスタンスに着信呼が送られる。一例の回線交換メディア経路２１０は、公衆交換電話網１２０の一部および／または時分割多重（ＴＤＭ）設備（図に示されていない）を含む。他の例では、従来の回線交換メディア・ゲートウェイ１４６の第１のインスタンスおよび従来の回線交換メディア・ゲートウェイ１４６の第２のインスタンスは同じ場所に配置され、回線交換メディア経路２１０は不要である。サーバ・コンポーネント１０４は、発呼メッセージ２０４、識別子、ダイヤリング・プラン(dialing plan)、および経路選択機能のうちの１つまたは複数を使用して、携帯電話へのメディア経路の一部を決定する。例えば、サーバ・コンポーネント１０４は、回線交換経路１５２としてメディア経路の一部を決定する。サーバ・コンポーネント１０４は、発呼メッセージ２０４を使用して、従来の回線交換メディア・ゲートウェイ１４６の第２のインスタンス内のメディア・フローを制御する。サーバ・コンポーネント１０４は、インターフェース１５６を通じて従来の回線交換メディア・ゲートウェイ１４６の第２のインスタンスを制御する。サーバ・コンポーネント１０４は、回線交換メディア経路１５２上で着信呼を受信するよう無線アクセス・ネットワーク１４２に信号を送る。サーバ・コンポーネント１０４は、回線交換メディア経路１５２を通じて無線アクセス・ネットワーク１４２に着信呼を送るように従来の回線交換メディア・ゲートウェイ１４６に信号を送る。
【００３７】
図３を参照すると、メディア経路構成３０２の例は、上記の特許出願第１０／２９５，７７４号で説明されている構成と同様に、インターネット・プロトコル・ネットワーク１５８からのパケット交換メディア経路３０８上の着信呼を処理するために使用されている。一例のパケット交換メディア経路３０８は、パケット交換メディア経路１５０およびパケット交換メディア経路１４８の１つまたは複数のインスタンスを含む。他の例では、パケット交換メディア経路３０８は、パケット交換メディア経路１５０と、パケット交換メディア経路１４８と、パケット交換メディア・ゲートウェイ１４４の１つまたは複数のインスタンスとを含む。制御コンポーネント１１４は、セッション開始プロトコル・ネットワーク１３０からの着信呼のセッション開始プロトコル・メッセージ３０６を受信する。例えば、セッション開始プロトコル・メッセージ３０６は、セッション開始プロトコルＩＮＶＩＴＥ要求メッセージを含む。セッション開始プロトコル・メッセージ３０６は、宛先、例えば、着信呼の携帯電話のディレクトリ番号（ＤＮ）を含む。
【００３８】
コントローラ・コンポーネント１１４は、ダイヤリング・プランおよび経路選択機能を使用して、セッション開始プロトコル・メッセージ３０６をゲートウェイ移動通信交換局機能サーバ１０６に送信する。ゲートウェイ移動通信交換局機能サーバ１０６は、識別子、例えば、ホーム・ロケーション・レジスタ１３４からの着信呼の宛先の一時ロケーション・ディレクトリ番号（ＴＬＤＮ）を取得する。ゲートウェイ移動通信交換局機能サーバ１０６は、識別子を持つセッション開始プロトコル・メッセージ３０６を更新する。その後、ゲートウェイ移動通信交換局機能サーバ１０６は、セッション開始プロトコル・メッセージ３０６をコントローラ・コンポーネント１１４に送信する。コントローラ・コンポーネント１１４は、セッション開始プロトコル・メッセージ３０６、識別子、ダイヤリング・プラン、および経路選択機能の１つまたは複数を使用して、セッション開始プロトコル・メッセージ３０６の次の宛先、例えば、メディア・コーディネータ１０８のインスタンスを決定する。
【００３９】
コントローラ・コンポーネント１１４は、セッション開始プロトコル・メッセージ３０６をメディア・コーディネータ１０８に送信する。メディア・コーディネータ１０８は、セッション開始プロトコル・メッセージ３０６および後続のシグナリング・メッセージの１つまたは複数の特性を使用して、メディア・リソース機能プロセッサ１１６のリソースを割り当てるようメディア・リソース機能コントローラ１１２に信号を送るかどうかを決定する。メディア・コーディネータ１０８は、セッション開始プロトコル・メッセージ３０６をサーバ・コンポーネント１０４に送信する。サーバ・コンポーネント１０４は、パケット交換メディア経路３０８上で着信呼を受信するよう無線アクセス・ネットワーク１４２に信号を送る。
【００４０】
図４を参照すると、メディア経路構成４０２の例は、パケット交換メディア経路、例えば、インターネット・プロトコル・ネットワーク１５８からのパケット交換メディア経路１５０上の着信呼を処理するために使用されている。コントローラ・コンポーネント（ＢＧＣＦ）１１４、ゲートウェイ移動通信交換局機能サーバ１０６、およびメディア・コーディネータ１０８は、最初に、メディア経路構成３０２に似た機能を実行し、例えば、第１のダイヤリング・プランを使用して、パケット交換メディア経路１５０および１４８を通る第１のメディア経路を決定する。メディア・コーディネータ１０８がセッション開始プロトコル・メッセージ３０６をサーバ・コンポーネント（ＳＭＳＣ−ＦＳ）１０４に送信するときに、一例のサーバ・コンポーネント１０４は、パケット交換メディア経路１４８上で着信呼を受信するよう無線アクセス・ネットワーク１４２に信号を送ることはできない。一例では、パケット交換メディア経路１４８および／または無線アクセス・ネットワーク１４２には、パケット交換メディア経路を通じて着信呼を処理するだけの容量がない。他の例では、携帯電話はすでに、回線交換メディア経路上で呼を受信している（例えば、通話中着信）。さらに他の例では、パケット交換メディア経路は、携帯電話のユーザが望むサービスを提供する、または品質レベルを達成することはできない。
【００４１】
一例では、サーバ・コンポーネント１０４は、リダイレクション・メッセージ４０４をメディア・コーディネータ１０８に送信する。メディア・コーディネータ１０８は、リダイレクション・メッセージ４０４をコントローラ・コンポーネント１１４に送信し、携帯電話への代替ルーティングを実行する。一例のリダイレクション・メッセージ４０４は、携帯電話の第１の識別子、例えば、セッション開始プロトコル・メッセージ３０６の識別子を含む。一例のサーバ・コンポーネント１０４は、携帯電話の第２の識別子を決定する。一例のリダイレクション・メッセージ４０４は、第２のダイヤリング・プラン、第１の識別子、および第２の識別子の１つまたは複数を含む。一例のリダイレクション・メッセージ４０４は、セッション開始プロトコル「３０２  Ｍｏｖｅｄ  Ｔｅｍｐｏｒａｒｉｌｙ」メッセージを含む。
【００４２】
一例のコントローラ・コンポーネント１１４は、第１のダイヤリング・プランおよびリダイレクション・メッセージ４０４の１つまたは複数を使用し、メディア・ゲートウェイ制御機能１１０への代替ルーティングを実行する。コントローラ・コンポーネント１１４は、セッション開始プロトコル・メッセージ３０６をメディア・ゲートウェイ制御機能１１０に送信し、第１のメディア経路から第２のメディア経路へのリダイレクトを実行する。例えば、コントローラ・コンポーネント１１４は、パケット交換メディア・ゲートウェイ１４４から回線インターフェース４０６を通る従来の回線交換メディア・ゲートウェイ１４６への第１のメディア経路の一部へのリダイレクトを行うようにメディア・ゲートウェイ制御機能１１０に信号を送る。一例の回線インターフェース４０６は、回線インターフェース１６０、回線インターフェース１５４、公衆交換電話網１２０の一部、および時分割多重（ＴＤＭ）設備（図に示されていない）のうちの１つまたは複数を含む。メディア・ゲートウェイ制御機能１１０は、インターフェース４０８を通じて、パケット交換メディア・ゲートウェイ１４４に信号を送る。一例のインターフェース４０８は、インターフェース１２４、インターネット・プロトコル・ネットワーク１２８の一部、およびインターフェース１２７を含む。メディア・ゲートウェイ制御機能１１０は、セッション開始プロトコル・メッセージ３０６を使用して発呼メッセージ２０４を作成する。コントローラ・コンポーネント１１４は、インターフェース４１０を通じて、発呼メッセージ２０４をサーバ・コンポーネント１０４に送信する。一例のインターフェース４１０は、インターフェース１２２、公衆交換電話網１２０の一部、およびインターフェース１６２のうちの１つまたは複数を含む。サーバ・コンポーネント１０４は、発呼メッセージ２０４を使用して、１つまたは複数のネットワーク・リソース、例えば、従来の回線交換メディア・ゲートウェイ１４６を割り当てる。サーバ・コンポーネント１０４は、回線交換メディア経路１５２を通じて無線アクセス・ネットワーク１４２に着信呼を送るように従来の回線交換メディア・ゲートウェイ１４６に信号を送る。サーバ・コンポーネント１０４は、回線交換メディア経路１５２を通じて着信呼を受信するよう無線アクセス・ネットワーク１４２に信号を送る。
【００４３】
図５を参照すると、メディア経路構成５０２の例は、回線交換メディア経路、例えば、公衆交換電話網１２０からの回線交換メディア経路１５４上の着信呼を処理するために使用されている。サーバ・コンポーネント（ＳＭＳＣ−ＦＳ）１０４は、ゲートウェイ・サーバの移動通信交換局１０６から発呼メッセージ２０４を受信する。発呼メッセージ２０４は、携帯電話の第１の識別子を含む。
【００４４】
サーバ・コンポーネント１０４は、発呼メッセージ２０４、第１の識別子、および第１のダイヤリング・プランのうちの１つまたは複数を使用し、例えば、回線交換メディア経路１５４および１５２を通じて、携帯電話への第１のメディア経路を決定する。一例のサーバ・コンポーネント１０４は、回線交換メディア経路１５２上で着信呼を受信するよう無線アクセス・ネットワーク１４２に信号を送ることができない。一例では、回線交換メディア経路１５２および／または無線アクセス・ネットワーク１４２には、回線交換メディア経路を通じて着信呼を処理するだけの容量がない。他の例では、携帯電話はすでに、パケット交換メディア経路上で呼を受信している（例えば、通話中着信）。さらに他の例では、回線交換メディア経路は、携帯電話のユーザが望むサービスを提供する、または品質レベルを達成することはできない。
【００４５】
サーバ・コンポーネント１０４は、携帯電話への第２のメディア経路を決定する。第１の例では、サーバ・コンポーネントは、発呼メッセージ２０４、第１の識別子、および第１のダイヤリング・プランのうちの１つまたは複数を使用して、携帯電話への第２のメディア経路を決定する。第２の例では、サーバ・コンポーネント１０４は、発呼メッセージ２０４、第１の識別子、および第２のダイヤリング・プランのうちの１つまたは複数を使用して、第２のメディア経路を決定する。第３の例では、サーバ・コンポーネント１０４は、携帯電話の第２の識別子を決定する。サーバ・コンポーネント１０４は、発呼メッセージ２０４、第２の識別子、および第１のダイヤリング・プランのうちの１つまたは複数を使用して、第２のメディア経路を決定する。他の例では、サーバ・コンポーネント１０４は、発呼メッセージ２０４、第２の識別子、および第２のダイヤリング・プランのうちの１つまたは複数を使用して、第２のメディア経路を決定する。
【００４６】
サーバ・コンポーネント１０４は、例えば、回線交換メディア経路１５４およびパケット交換メディア経路３０８を通じて、第２のメディア経路を決定する。サーバ・コンポーネント１０４により、第１のメディア経路の一部は第２のメディア経路にリダイレクトされる。例えば、サーバ・コンポーネント１０４により、従来の回線交換メディア・ゲートウェイ１４６は第１のメディア経路の一部をパケット交換メディア・ゲートウェイ１４４にリダイレクトする。サーバ・コンポーネント１０４は、インターフェース４１０を通じて、発呼メッセージ２０４をメディア・ゲートウェイ制御機能１１０に送信する。メディア・ゲートウェイ制御機能１１０は、発呼メッセージ２０４を使用し、インターフェース４０８を通じて、パケット交換メディア・ゲートウェイ１４４を構成する。メディア・ゲートウェイ制御機能１１０は、発呼メッセージ２０４をセッション開始プロトコル・メッセージ３０６に変換する。メディア・ゲートウェイ制御機能１１０は、セッション開始プロトコル・メッセージ３０６をコントローラ・コンポーネント（ＢＧＣＦ）１１４に送信する。その後、コントローラ・コンポーネント１１４、メディア・コーディネータ１０８、およびサーバ・コンポーネント１０４は、当業者には周知のように、メディア経路構成３０２に類似の機能を実行する。
【００４７】
一例の装置１００は、１つまたは複数のコンピュータ読取可能信号搬送媒体を使用する。装置１００のコンピュータ読取可能信号搬送媒体の例には、サーバ・コンポーネント１０４の記録可能データ記憶メディア１０１およびコントローラ・コンポーネント１１４の記録可能データ記憶メディア１０１が含まれる。例えば、装置１００のコンピュータ読取可能信号搬送媒体は、磁気、電気、光、生物、および原子を利用したデータ記憶メディアのうちの１つまたは複数を含む。一例では、コンピュータ読取可能信号搬送媒体は、装置１００を含むまたはそれに結合されているネットワーク、例えば、電話網、ローカル・エリア・ネットワーク（Ｌocal Ａrea Ｎetwork：ＬＡＮ）、インターネット、および無線ネットワークのうちの１つまたは複数を介して送信される変調搬送信号を含む。
【００４８】
本明細書で説明した工程または動作は例にすぎない。これらの工程または動作には、本発明の精神から逸脱することなく、多くのバリエーションがありうる。例えば、異なる順序でこれらの工程を実行したり、あるいは工程を追加、削除、または修正することができる。
【００４９】
本明細書では本発明の実装例を詳しく表現し、説明したが、当業者であれば、本発明の精神から逸脱することなくさまざまな修正、追加、置換などを行うことができ、したがって、これらの修正、追加、置換などは特許請求の範囲での定義に従って本発明の範囲内にあるものと考えられることを理解するであろう。
【図面の簡単な説明】
【００５０】
【図１】１つまたは複数の移動通信交換局サービス・コンポーネントおよび１つまたは複数のインターネット・プロトコル・マルチメディア・サブシステム・コンポーネントとを含む装置の一例を表す図である。
【図２】着信回線交換呼を処理する図１の装置のメディア経路例を表す図である。
【図３】着信パケット交換呼を処理する図１の装置のメディア経路構成例を表す図である。
【図４】パケット交換メディア経路からの着信呼を回線交換メディア経路にリダイレクトする図１の装置のメディア経路構成例を表す図である。
【図５】回線交換メディア経路からの着信呼をパケット交換メディア経路にリダイレクトする図１の装置のメディア経路構成例を表す図である。
【図１】
2005006328.tif 000003
【図２】
2005006328.tif 000004
【図３】
2005006328.tif 000005
【図４】
2005006328.tif 000006
【図５】
2005006328.tif 000007